(57)【要約】【課題】  供給路部材にヒータを取り付ける構成において、製造工程の煩雑化を回避することが可能な液体噴射ヘッドを提供する。【解決手段】  液体噴射ヘッドは、第一方向に沿って配列された複数のノズル吐出口２５に液体を導く液体吐出流路４２に対して、液体を供給する供給路４１が形成された供給路部材１２Ａと、液体を加温するヒータ３１Ａと、を備える。ノズル吐出口２５が配置する側を下側としたときに、ヒータ３１Ａは、供給路部材１２の上側に位置するように配置されている。【選択図】  図１
2020199678.tif 000002
【特許請求の範囲】
【請求項１】
第一方向に沿って配列された複数のノズル吐出口に液体を導く液体吐出流路に対して、液体を供給する供給路が形成された供給路部材と、
前記液体を加温するヒータと、
を備え、
前記ノズル吐出口が配置する側を下側としたときに、前記ヒータは、前記供給路部材の上側に位置するように配置されていることを特徴とする、
液体噴射ヘッド。
【請求項２】
前記ヒータは、前記供給路部材の上面に直接取り付けられていることを特徴とする、
請求項１に記載の液体噴射ヘッド。
【請求項３】
さらに、前記供給路部材の上面に設けられる熱伝導部材を備え、
前記ヒータは、前記熱伝導部材を介して前記供給路部材の上面に間接的に取り付けられていることを特徴とする、
請求項１に記載の液体噴射ヘッド。
【請求項４】
前記熱伝導部材は、前記供給路部材の上面とともに側面の少なくとも一部を覆うように構成されていることを特徴とする、
請求項３に記載の液体噴射ヘッド。
【請求項５】
前記ヒータの上に重ねて設けられ、前記熱伝導部材と同じ材料の第二熱伝導部材を備えていることを特徴とする、
請求項３または４に記載の液体噴射ヘッド。
【請求項６】
前記ヒータは、前記熱伝導部材の周縁領域を除いた領域に配置されるとともに、前記第二熱伝導部材は、前記周縁領域に形成される接着剤の層により、前記熱伝導部材に接着されて固定されることを特徴とする、
請求項５に記載の液体噴射ヘッド。
【請求項７】
前記供給路部材は、その上面に、前記供給路につながり、前記第一方向に沿って延伸する形状の供給路開口部を有し、
前記熱伝導部材は、前記供給路開口部に対応する、前記第一方向に沿って延伸する形状の熱伝導部材開口部を有し、
当該熱伝導部材開口部の前記第一方向の寸法は、前記供給路開口部の前記第一方向の寸法よりも小さいことを特徴とする、
請求項３〜６のいずれか１項に記載の液体噴射ヘッド。
【請求項８】
前記熱伝導部材開口部の前記第一方向に直交する方向の寸法は、前記供給路開口部の前記第一方向に直交する方向の寸法よりも小さいことを特徴とする、
請求項７に記載の液体噴射ヘッド。
【請求項９】
前記熱伝導部材は、前記供給路部材の上面とともに、前記供給路における内側開口の少なくとも一部を覆うように構成されていることを特徴とする、
請求項７または８に記載の液体噴射ヘッド。
【請求項１０】
前記ヒータは、前記供給路部材の上面における中央部を除いた部位に配置されることを特徴とする、
請求項３〜９のいずれか１項に記載の液体噴射ヘッド。
【請求項１１】
前記熱伝導部材は金属製であることを特徴とする、
請求項３〜１０のいずれか１項に記載の液体噴射ヘッド。
【請求項１２】
前記供給路部材は無機材料製であることを特徴とする、
請求項１〜１１のいずれか１項に記載の液体噴射ヘッド。
【請求項１３】
さらに、液体を前記ノズル吐出口から吐出させるための圧電素子を保護する保護基板を備え、
前記供給路部材は、前記保護基板の上側全面を覆う形状を有しており、
前記ヒータは、前記供給路部材の上面全体に配置されることを特徴とする、
請求項１〜１２のいずれか１項に記載の液体噴射ヘッド。
【請求項１４】
さらに、前記保護基板上に設けられ、前記圧電素子を駆動する駆動回路と、
前記駆動回路に接続されるフレキシブルプリント基板（ＦＰＣ）と、
を備え、
前記ヒータは、その入力部が、前記保護基板に対する前記ＦＰＣの接続部位と同方向となるように、前記供給路部材の前記上面に配置されていることを特徴とする、
請求項１３に記載の液体噴射ヘッド。
【請求項１５】
前記保護基板の上面の前記駆動回路と、前記供給路部材における前記保護基板上を覆う部位との間には空間が設けられていることを特徴とする、
請求項１４に記載の液体噴射ヘッド。
【請求項１６】
前記供給路部材の前記上面を構成する材料の熱伝導率は、前記流路部材に設けられるダンパー部材を構成する材料の熱伝導率よりも高いことを特徴とする、
請求項１３〜１５のいずれか１項に記載の液体噴射ヘッド。
【発明の詳細な説明】
【技術分野】
【０００１】
本発明は、インク等の液体を吐出する液体吐出装置が備える液体噴射ヘッドに関する。
【背景技術】
【０００２】
従来、インク等の液体を吐出する液体吐出装置として、例えば、インクジェット式プリンタが利用されている。液体吐出装置は、液体吐出ヘッドからインクを被記録シートなどの媒体に向けて吐出し、媒体に画像を形成することができる。このような液体吐出ヘッドとしては、例えば、特許文献１に開示された液体吐出ヘッド（液体噴出ヘッド）のように液体が流通する供給路部材を加熱するヒータを備えた構成がある。
【０００３】
特許文献１に開示された液体吐出ヘッドは、インクをノズル吐出口（ノズル）に導く液体吐出流路が形成された流路部材と、インクをこの液体吐出流路に供給する供給路が形成された供給路部材と、この供給路部材を加熱するヒータとを備えている。特許文献１では、供給路部材の外周部に、ヒータおよび温度検出器（温度センサ）が接着剤により接合されている。
【０００４】
ところで、高粘度のインクをノズル吐出口から適切に効率よく吐出させるためには、インクの粘度が所望の大きさとなるように、室温よりもやや高い温度（例えば、約４０度）までインクを加温する必要がある。特許文献１に開示された液体吐出ヘッドは、ヒータにより供給路部材を加熱することでインクを加温することができる。
【先行技術文献】
【特許文献】
【０００５】
【特許文献１】特開２０１８−５１７６８号公報
【発明の概要】
【発明が解決しようとする課題】
【０００６】
特許文献１に開示された従来の液体吐出ヘッドでは、供給路部材の外周部すなわち側面にヒータが接着剤により貼り付けられている。供給路部材の側面は、液体吐出ヘッドの製造過程においてヒータを取り付けにくい位置であるため、液体吐出ヘッドの製造工程が煩雑化するおそれがあるという問題があった。
【０００７】
本発明はこのような課題を解決するためになされたものであって、供給路部材にヒータを取り付ける構成において、製造工程の煩雑化を回避することが可能な液体噴射ヘッドを提供することを目的とする。
【課題を解決するための手段】
【０００８】
本発明に係る液体噴射ヘッドは、前記の課題を解決するために、第一方向に沿って配列された複数のノズル吐出口に液体を導く液体吐出流路に対して、液体を供給する供給路が形成された供給路部材と、前記液体を加温するヒータと、を備え、前記ノズル吐出口が配置する側を下側としたときに、前記ヒータは、前記供給路部材の上側に位置するように配置されている構成である。
【０００９】
前記構成によれば、供給路部材の上側に位置するようにヒータが設けられているため、ヒータを側面に取り付ける構成よりも製造が容易になり、製造工程の煩雑化を回避することができる。また、供給路部材の上面から供給路を加熱することができるので、ヒータを側面に取り付ける構成よりも効率的な液体の加温が可能となる。
【発明の効果】
【００１０】
本発明では、以上の構成により、供給路部材にヒータを取り付ける構成において、製造工程の煩雑化を回避することが可能な液体噴射ヘッドを提供することができる、という効果を奏する。
【図面の簡単な説明】
【００１１】
【図１】本発明の実施の形態１に係る液体噴射ヘッドの構成の一例を示す模式的断面図である。
【図２】図１に示す液体噴射ヘッドの上面側の構成例を示す模式的部分斜視図である。
【図３】（Ａ）は、図１に示す液体噴射ヘッドを構成する供給路部材および熱伝導部材のそれぞれの開口部を対比する、第一方向に沿った模式的断面図であり、（Ｂ）は、（Ａ）に示す供給路部材および熱伝導部材のそれぞれの開口部を対比する、第一方向に直交する方向に沿った模式的断面図である。
【図４】図１に示す液体噴射ヘッドの上面側の他の構成例を示す模式的部分斜視図である。
【図５】図１に示す液体噴射ヘッドの変形例を示す模式的断面図である。
【図６】図５に示す変形例の具体的な構成の一例を示す模式的部分断面図である。
【図７】本発明の実施の形態２に係る液体噴射ヘッドの構成の一例を示す模式的断面図である。
【図８】図７に示す液体噴射ヘッドの上面側の構成例を模式的斜視図である。
【発明を実施するための形態】
【００１２】
以下、本発明の代表的な実施の形態を、図面を参照しながら説明する。なお、以下では全ての図を通じて同一又は相当する要素には同一の参照符号を付して、その重複する説明を省略する。
【００１３】
（実施の形態１）
［液体噴射ヘッドの構成例］
まず、本実施の形態１に係る液体噴射ヘッドの代表的な構成例について、図１および図２を参照して具体的に説明する。図１に示すように、本実施の形態１に係る液体噴射ヘッドは、流路部材１１、供給路部材１２Ａ、アクチュエータ基板１３、支持基板１４Ａ、ノズル基板１５、熱伝導部材１６、ダンパー部材２１、弾性膜２３、圧電素子２６、上面側ヒータ３１Ａ、引出配線３４、駆動ＩＣ３５等を備えている。
【００１４】
流路部材１１は長手方向を有する平板状であり、供給路部材１２Ａに固定されている。流路部材１１の一方の面には、供給路部材１２Ａとの間に、アクチュエータ基板１３、支持基板１４Ａ等が固定されているとともに、流路部材１１の他方の面には、ノズル基板１５、ダンパー部材２１等が固定されている。供給路部材１２Ａにおける流路部材１１とは反対側の面には、熱伝導部材１６が配置され、この熱伝導部材１６に重なるように上面側ヒータ３１Ａが配置されている。
【００１５】
図１に示す液体噴射ヘッドの断面は、長手方向に直交する方向の断面である。長手方向を「縦方向」として長手方向に直交する方向を「横方向」とすると、図１は、液体噴射ヘッドの横方向の断面となる。したがって、図１の紙面方向に沿って液体噴射ヘッドは延伸する構造を有している。また、図１では、液体噴射ヘッドを構成する流路部材１１が「下」側に位置し供給路部材１２Ａが「上」側に位置するように図示しているので、以下の説明では、液体噴射ヘッドの構造を説明する際に、この上下の位置関係を利用する。
【００１６】
したがって、図１に示す液体噴射ヘッドでは、流路部材１１の下面にノズル基板１５およびダンパー部材２１が取り付けられ、流路部材１１の上面に、供給路部材１２Ａとともにアクチュエータ基板１３および支持基板１４Ａが取り付けられていることになる。また、図１に示す液体噴射ヘッドは、横方向の断面において基本的に左右対称の構造を有している。それゆえ、以下の説明では、左右のうち一方の構造のみ説明して他方の説明は省略する。
【００１７】
なお、液体噴射ヘッドの位置関係を説明する上で、「長手方向」すなわち「縦方向」を基準方向と見なして「第一方向」と称することができる。また、「横方向」のうち左右方向を「第二方向」とし、上下方向を「第三方向」と規定することができる。図２では、第一方向を図中ｄ１の双方向矢印で示し、図１および図２では、第二方向を図中ｄ２の双方向矢印で示し、第三方向を図中ｄ３の双方向矢印で示している。以下では、方向を説明するときに、基本的には「長手方向」を用い、長手方向に直交する方向については、上下左右の区別をつける必要がない場合には「横方向」を用い、「横方向」のうち上下左右の区別をつける必要がある場合には「上下方向」または「左右方向」を用いる。
【００１８】
液体噴射ヘッドの下面にはノズル基板１５が位置しており、このノズル基板１５には、長手方向（図２の双方向矢印ｄ１）に沿って複数のノズル吐出口２５が配列している。本実施の形態１では、ノズル基板１５に形成されるノズル吐出口２５の列（ノズル列）は２条であるが、特にこれに限定されない。ノズル列を構成するノズル吐出口２５の間隔（ピッチ）は特に限定されず、液体噴射ヘッドによる液体噴射（印刷）時に形成されるドットの密度に対応した間隔であればよい。
【００１９】
ノズル基板１５は、液体噴射ヘッドの下面において左右方向（図１の双方向矢印ｄ２）の中央に位置しており、左右方向の両縁にはダンパー部材２１がそれぞれ位置している。流路部材１１には、ノズル吐出口２５にインク（液体）を導く液体吐出流路４２となる開口部（または空間部）が形成されている。流路部材１１の下面において、液体吐出流路４２となる開口部を封止するように、ダンパー部材２１が取り付けられているため、これにより、液体吐出流路４２が構成される。
【００２０】
また、流路部材１１の上面には、左右方向の中央部にアクチュエータ基板１３が積層されている。アクチュエータ基板１３の上面には弾性膜２３が積層され、弾性膜２３の上面には支持基板（保護基板）１４Ａが積層される。支持基板１４Ａには、下面側に開口する凹部である素子空間部２４が形成されており、支持基板１４Ａの下面に弾性膜２３が位置することにより素子空間部２４が閉止され、この素子空間部２４内に圧電素子２６が配置される。言い換えれば、支持基板１４Ａには、圧電素子２６に対応する部位に当該圧電素子２６の駆動を阻害しない程度の大きさの凹部が形成され、この凹部が素子空間部２４を構成する。圧電素子２６は、弾性膜２３の上面に設けられるので、圧電素子２６は閉止された素子空間部２４の下側に位置する。
【００２１】
アクチュエータ基板１３において、素子空間部２４すなわち圧電素子２６の直下となる位置には、貫通孔である圧力室４３が形成される。圧力室４３の上面は弾性膜２３で閉止されており、圧力室４３の下面は流路部材１１の上面で閉止される。流路部材１１の液体吐出流路４２は圧力室４３に連通するように形成されている。また、流路部材１１にはノズル吐出口２５に連通する貫通孔であるノズル連通路４４（ディセンダ）も形成されており、このノズル連通路４４も圧力室４３に連通する。図１に示すように、圧力室４３の下面の左右方向の一方が液体吐出流路４２に連通し、左右方向の他方がノズル連通路４４に連通する。
【００２２】
アクチュエータ基板１３に形成される複数の圧力室４３は、ノズル基板１５に形成される複数のノズル吐出口２５に対応している。本実施の形態１では、ノズル基板１５に形成されるノズル吐出口２５は、長手方向（図２の双方向矢印ｄ１）に沿って２条のノズル列を構成している。それゆえ、アクチュエータ基板１３に形成される複数の圧力室４３も、ノズル列に対応するように、長手方向に沿って２条の列を構成している。また、圧電素子２６は圧力室４３に対応するように弾性膜２３上に設けられるので、圧電素子２６も、ノズル列および圧力室４３に対応するように長手方向に沿って２条の列を構成している。
【００２３】
供給路部材１２Ａは、図１に示すように、流路部材１１と、この流路部材１１の上面に位置するアクチュエータ基板１３および支持基板１４Ａと、を覆うように配置される。供給路部材１２Ａには、流路部材１１の液体吐出流路４２にインク（液体）を供給する供給路４１（マニホールド）が形成されている。この供給路４１は、図１に示す横方向の断面（横断面）では、上下方向に配置しており、下側で液体吐出流路４２に連通している。なお、この供給路４１は図示しないインクカートリッジ（またはインクタンク）に接続され、このインクカートリッジからインクが供給される。
【００２４】
供給路部材１２Ａの横断面の中央部には、貫通部２２ａが形成されており、支持基板１４Ａの横断面の中央部にも貫通部２２ｂが形成されている。供給路部材１２Ａの貫通部２２ａおよび支持基板１４Ａの貫通部２２ｂはいずれも長手方向に沿って延伸する形状を有している。これら貫通部２２ａおよび貫通部２２ｂにより貫通空間部２２が構成される。支持基板１４Ａの貫通部２２ｂにより、アクチュエータ基板１３の上面の一部が露出している。
【００２５】
供給路部材１２Ａは、貫通部２２ａにより支持基板１４Ａの貫通部２２ｂが露出するように、流路部材１１、アクチュエータ基板１３および支持基板１４Ａの一部を覆っている。それゆえ、貫通部２２ａおよび貫通部２２ｂからなる貫通空間部２２により、アクチュエータ基板１３の上面の一部が露出していることになる。
【００２６】
アクチュエータ基板１３の上面であって、支持基板１４Ａの貫通部２２ｂ内には、それぞれの圧電素子２６から電極配線が延出しており、これら電極配線に引出配線３４が接続される。この引出配線３４には、圧電素子２６を駆動する駆動ＩＣ３５が設けられている。引出配線３４の少なくとも一部と駆動ＩＣ３５とは、貫通空間部２２に収容される。
【００２７】
圧電素子２６は、インクをノズル吐出口２５から吐出させるための素子である。後述するように、駆動ＩＣ３５により圧電素子２６が駆動されると、弾性膜２３を含む「振動板」（後述）が圧力室４３内に向かって湾曲する（凹む）。これにより、圧力室４３内のインク（液体）がノズル連通路４４を介してノズル吐出口２５から外部に噴射（吐出）する。したがって、流路部材１１、アクチュエータ基板１３、弾性膜２３、および圧電素子２６等によりアクチュエータユニットが形成される。
【００２８】
上面側ヒータ３１Ａは、インク（あるいは液体噴射ヘッドで噴射対象となる液体）を加温するために、液体噴射ヘッドの上面に配置されている。本開示に係る液体噴射ヘッドでは、インクを噴射（吐出）するノズル吐出口２５が配置する側が下側であるので、上面側ヒータ３１Ａは、液体噴射ヘッドの上側に位置するように配置されていることになる。ここで、液体噴射ヘッドを構成する部材の位置関係を見れば、ノズル吐出口２５につながる流路部材１１が下側であり、これに固定される供給路部材１２Ａが上側であるので、上面側ヒータ３１Ａは、供給路部材１２Ａの上側に位置していることになる。
【００２９】
本開示に係る液体噴射ヘッドでは、供給路部材１２Ａの上側にヒータが設けられていればよい。本実施の形態１では、図１または図２に示すように、供給路部材１２Ａの上部は貫通空間部２２（貫通部２２ａ）を介して長手方向に並列する２つの部位に区画されている。これら供給路部材１２Ａの２つの上部には、それぞれ供給路４１（マニホールド）が形成されており、この供給路４１内のインクを加温できるように、それぞれの上面に上面側ヒータ３１Ａが取り付けられている。
【００３０】
上面側ヒータ３１Ａは、供給路部材１２Ａの上面に直接取り付けられてもよいが、本実施の形態１では、供給路部材１２Ａの上面に熱伝導部材１６が取り付けられ、この熱伝導部材１６の上面に上面側ヒータ３１Ａが取り付けられている。すなわち、上面側ヒータ３１Ａは熱伝導部材１６を介して供給路部材１２Ａの上面に取り付けられている。熱伝導部材１６は、供給路部材１２Ａの上面と略同一の形状を有する板状部材であればよいが、供給路部材１２Ａよりも熱伝導率が高い材料で構成されている。
【００３１】
なお、図１および図２に示すように、熱伝導部材１６には、供給路４１につながる熱伝導部材開口部１６ａが形成されている。熱伝導部材開口部１６ａは、図２に示すように、供給路部材１２Ａ（液体噴射ヘッド）の長手方向に沿って延伸する形状を有している。また、図示しないが、液体噴射ヘッドの側面にはサーミスタ等の温度検出器が設けられてもよい。
【００３２】
このような構成の液体噴射ヘッドでは、図示しないインクカートリッジから供給路部材１２Ａの供給路４１（マニホールド）にインクが供給される。供給路４１は、流路部材１１の液体吐出流路４２に連通しており、液体吐出流路４２は、長手方向に配列する複数の圧力室４３に連通している。流路部材１１の複数のノズル連通路４４およびノズル基板１５の複数のノズル吐出口２５も、長手方向に配列しており、それぞれの圧力室４３には、流路部材１１のそれぞれのノズル連通路４４を介して、ノズル基板１５のそれぞれのノズル吐出口２５に連通している。それゆえ、供給路４１に供給されたインクは、液体吐出流路４２を介して圧力室４３に供給される。
【００３３】
それぞれの圧力室４３の上面には圧電素子２６が配置され、弾性膜２３を含む「振動板」が構成されているので、圧電素子２６の駆動により、圧力室４３のインクがノズル連通路４４からノズル吐出口２５に送出され、外部に噴射（吐出）される。このとき、上面側ヒータ３１Ａは、上面から供給路部材１２Ａを加熱するので、当該供給路部材１２Ａ内の上面から供給路４１（マニホールド）を加熱することになる。なお、上面側ヒータ３１Ａは、図示しない制御部により駆動制御される。制御部による上面側ヒータ３１Ａの駆動制御には、前述した温度検出器で計測された温度が少なくとも用いられればよい。
【００３４】
流路部材１１、供給路部材１２Ａ、アクチュエータ基板１３、支持基板１４Ａ、ノズル基板１５、熱伝導部材１６、ダンパー部材２１、弾性膜２３、圧電素子２６、上面側ヒータ３１Ａ等の具体的な構成は特に限定されず、液体噴射ヘッドで公知の構成を好適に用いることができる。
【００３５】
流路部材１１は、例えば、無機材料製の基板で構成されており、本実施の形態１ではシリコン基板が用いられている。流路部材１１における液体吐出流路４２およびノズル連通路４４等は、公知の異方性エッチング、ハーフエッチング等により形成されていればよい。また、供給路部材１２Ａは、例えば、公知の樹脂で構成されており、本実施の形態１ではＡＢＳ樹脂製の部材が用いられる。あるいは、供給路部材１２Ａは、樹脂製ではなく無機材料製であってもよい。代表的な無機材料としては、アルミナ（Ａｌ2Ｏ3）を挙げることができる。
【００３６】
アクチュエータ基板１３は、例えば、無機材料製の基板で構成されており、本実施の形態１では、アクチュエータ基板１３としてシリコン基板が用いられている。アクチュエータ基板１３には、ノズル基板１５に形成される複数のノズル吐出口２５に対応するように、例えば異方性エッチング処理によって複数の圧力室４３が形成されている。
【００３７】
支持基板１４Ａの素子空間部２４には圧電素子２６が内部に収容して保護されるため、支持基板１４Ａは、圧電素子２６の保護基板ということができる。支持基板１４Ａを構成する具体的な材料は特に限定されず、例えば、ガラス、セラミックス材料、シリコン単結晶基板、金属等の無機材料であってもよいし、公知の樹脂等の有機材料であってもよい。ノズル基板１５は、例えばシリコン基板等の無機材料により構成されていればよい。ノズル基板１５における列状の複数のノズル吐出口２５（ノズル列）は、例えばドライエッチングにより形成することができる。
【００３８】
熱伝導部材１６は、熱伝導性が良好な材料で構成されていればよいが、具体的には、供給路部材１２Ａを構成する材料よりも熱伝導率が高い材料であることが好ましい。供給路部材１２Ａを構成する材料は、前記の通り樹脂またはアルミナ等の酸化物系の無機材料が挙げられるので、熱伝導部材１６としてはこれらよりも熱伝導率の高い材料、代表的にはステンレス（ＳＵＳ）等の金属を挙げることができる。熱伝導部材１６が金属製であることにより、他の材質に比較して熱伝導部材１６の安価な製造が可能となる。
【００３９】
ダンパー部材２１は、一般的に、樹脂製フィルム（ダンパーフィルム）として構成されており、一例としてＰＰＳ樹脂製のもの等を挙げることができる。弾性膜２３は、弾性を有する材料で構成されていればよい。本実施の形態１では、例えば、厚さが約１μｍの二酸化シリコンの膜として構成される。また、図１には図示しないが、弾性膜２３上には、絶縁性材料で構成される絶縁膜が形成される。この絶縁膜の材料としては、例えば、酸化ジルコニウムを挙げることができるが、特に限定されない。圧電素子２６は、弾性膜２３および絶縁膜上において圧力室４３に対応するように位置している。
【００４０】
圧電素子２６の具体的な構成は特に限定されないが、本実施の形態１では、例えば、弾性膜２３および絶縁膜上に、下層電極膜、圧電体層および上層電極膜を順次積層して、圧力室４３に対応するように公知の方法でパターニングした構成を挙げることができる。上層電極膜および下層電極膜はいずれも公知の金属製であればよい。圧電体層は、例えば、チタン酸ジルコン酸鉛（ＰＺＴ）等の公知の圧電材料製であればよい。上層電極膜または下層電極膜の一方が共通電極として構成され、他方の電極膜が個別電極として構成される。また、弾性膜２３、絶縁膜、および下層電極膜が、圧電素子２６の駆動時に振動する「振動板」として機能する。
【００４１】
それぞれの圧電素子２６の個別電極（上層電極膜または下層電極膜）からは、図示しない電極配線が絶縁膜上にそれぞれ延出されており、これら電極配線に対してそれぞれ引出配線３４が接続される。引出配線３４の具体的な構成は特に限定されないが、本実施の形態１では、公知のＣＯＦ（Chip On Film）を用いている。駆動ＩＣ３５の具体的な構成は特に限定されず、液体噴射ヘッドの分野で公知の集積回路または駆動素子等を好適に用いることができる。駆動ＩＣ３５は、それぞれの圧電素子２６における上層電極膜および下層電極膜の間に駆動信号（駆動電圧）を印加することにより、圧電素子２６を撓み変形させる。これにより、下層電極、絶縁膜および弾性膜２３を含む振動板を振動させることができる。
【００４２】
なお、図示しないが、前述したサーミスタ等の温度検出器の具体的な種類は特に限定されず、液体噴射ヘッドの分野で公知のものを好適に用いることができる。上面側ヒータ３１Ａの具体的な構成は特に限定されず、液体噴射ヘッドの分野で公知のものを好適に用いることができる。本実施の形態１では、例えば、公知のフィルムヒータまたはセラミックヒータが用いられる。制御部の具体的な構成も特に限定されず、例えば、マイクロコンピュータまたはマイクロコントローラのＣＰＵ、種々の記憶部等を備える公知の構成であればよい。
【００４３】
液体噴射ヘッドの製造方法は特に限定されず、流路部材１１、供給路部材１２Ａ、アクチュエータ基板１３、支持基板１４Ａ、ノズル基板１５、ダンパー部材２１、弾性膜２３、圧電素子２６等の各部材を公知の方法で固定したり取り付けたりすることにより、液体噴射ヘッドを製造すればよい。各部材の固定または取付順序等は特に限定されないが、例えば、流路部材１１、ダンパー部材２１、ノズル基板１５等により流路ユニットを予め形成し、アクチュエータ基板１３、弾性膜２３、圧電素子２６、支持基板１４Ａ等によりアクチュエータユニットを予め形成し、これらユニットを固定することで液体噴射ヘッドを製造する方法を挙げることができる。
【００４４】
各部材の固定方法または取付方法、あるいは、ユニット同士の固定方法、ユニットと部材等との固定方法または取付方法等は特に限定されないが、一般的には、公知の接着剤を用いる方法を挙げることができる。部材によっては接着剤を用いない接合方法を用いてもよい。ここで、本開示においては、流路部材１１および供給路部材１２Ａを接着剤により接着して固定する際には、この接着剤としては、供給路部材１２Ａを構成する材料よりも熱伝導率が高い材料で構成されていることが好ましい。
【００４５】
供給路部材１２Ａが樹脂製であれば、接着剤としては、供給路部材１２Ａよりも熱伝導性の良好な材料で構成される接着剤を用いればよい。具体的には、例えば、供給路部材１２ＡがＡＢＳ樹脂製であれば、接着剤はエポキシ系接着剤を好適に用いることができる。他の代表的な接着剤であるシリコーン系接着剤に比べて、エポキシ系接着剤はＡＢＳ樹脂よりも熱伝導性に優れている傾向にある。それゆえ、このような接着剤を用いることで、流路部材１１と供給路部材１２Ａとの固定面において、線膨張係数の違いが大きくなることを有効に抑制することができる。これにより、これら部材の固定状態を良好に維持することができる。
【００４６】
［ヒータおよび熱伝導部材の構成例］
次に、本開示に係る液体噴射ヘッドが備える上面側ヒータ３１Ａおよび熱伝導部材１６の代表的な一例について、図１および図２に加えて図３（Ａ），（Ｂ）および図４を参照して具体的に説明する。
【００４７】
本開示に係る液体噴射ヘッドにおいては、インク（液体）を加温する液体加温部としてのヒータを少なくとも一つ備えており、この液体加温部（ヒータ）が、供給路部材１２Ａの上側に位置するように配置されていればよい。本実施の形態１では、図１に示すように、上面側ヒータ３１Ａが、熱伝導部材１６を介して供給路部材１２Ａの上面に間接的に取り付けられているので、当該上面側ヒータ３１Ａが供給路部材１２Ａの上側に位置することになる。このように、供給路部材１２Ａの上面と上面側ヒータ３１Ａとの間に熱伝導部材１６を介在させることにより、供給路部材１２Ａに上面側ヒータ３１Ａからの熱を伝達させやすくすることができる。
【００４８】
熱伝導部材１６は、供給路部材１２Ａの上面を覆う平板状の部材であればよいが、さらに供給路部材１２Ａの上面以外の一部を覆うような形状を有することが好ましい。例えば、供給路部材１２Ａの上面に形成され、供給路４１に連通する開口部を供給路開口部４１ａとすれば、図３（Ａ）に示すように、熱伝導部材開口部１６ａは、供給路開口部４１ａよりも長手方向（第一方向）に小さい寸法であることが好ましい。また、図１および図３（Ａ），（Ｂ）に示すように、熱伝導部材１６は、供給路開口部４１ａの内周面の少なくとも一部を覆ったり、供給路部材１２Ａの側面の一部を覆ったりする構成であることが好ましい。
【００４９】
図３（Ａ）は、図１に示す左側の供給路部材１２Ａ、熱伝導部材１６および上面側ヒータ３１Ａを拡大した、長手方向（第一方向）に沿った模式的断面図である。また、図３（Ｂ）は、図３（Ａ）に対応する、横方向（第一方向に直交する方向）の模式的断面図である。供給路開口部４１ａは、供給路部材１２Ａの上面において供給路４１につながり長手方向に沿って延伸する形状を有する。熱伝導部材開口部１６ａは、供給路開口部４１ａに対応し、当該供給路開口部４１ａと同様に長手方向に沿って延伸する形状を有している。
【００５０】
図３（Ａ）に示すように、供給路開口部４１ａの長手方向の寸法（長さ）をＬ１とし、熱伝導部材開口部１６ａの長手方向の寸法（長さ）をＬ２としたときに、Ｌ１＞Ｌ２となることが好ましい。Ｌ１およびＬ２の具体的な数値は特に限定されず、液体噴射ヘッドの具体的な構成に応じて適宜設定することができるが、代表的な一例としては、Ｌ１＝２５〜３０ｍｍ、Ｌ２＝２０〜２５ｍｍを挙げることができ、この数値範囲内でＬ１＞Ｌ２が成立していることが好ましい。
【００５１】
このような構成であれば、供給路開口部４１ａよりも熱伝導部材開口部１６ａの開口面積が小さくなるので、図３（Ａ）に示すように、熱伝導部材１６の内周縁が供給路開口部４１ａの一部に露出することになる。そのため、供給路４１内のインクに熱伝導部材１６を直接接触させることができるとともに、熱伝導部材１６とインクとの接触面積を増大させることもできる。これにより、熱伝導部材１６を介してインクをより効率的に加温することができる。
【００５２】
また、図３（Ｂ）（および図１）に示すように、熱伝導部材開口部１６ａの長手方向（第一方向）に直交する方向の寸法は、供給路開口部４１ａの長手方向に直交する方向の寸法よりも小さいことが好ましい。長手方向に直行する方向は前記の通り「左右方向」（第三方向）に対応するが、供給路開口部４１ａの左右方向の寸法（幅）をＷ１とし、熱伝導部材開口部１６ａの左右方向の寸法（幅）をＷ２としたときに、Ｗ１＞Ｗ２となることが好ましい。
【００５３】
Ｗ１およびＷ２の具体的な数値は特に限定されず、液体噴射ヘッドの具体的な構成に応じて適宜設定することができるが、代表的な一例としては、Ｗ１＝２〜３ｍｍ、Ｗ２＝１〜２ｍｍを挙げることができ、この数値範囲内でＷ１＞Ｗ２が成立していることが好ましい。このような構成であれば、供給路開口部４１ａよりも熱伝導部材開口部１６ａの開口面積が小さくなるので、供給路４１内のインクに熱伝導部材１６を直接接触させることができる。これにより、熱伝導部材１６を介してインクをより効率的に加温することができる。
【００５４】
また、図１および図３（Ｂ）に示すように、熱伝導部材１６は、供給路部材１２Ａの上面とともに、供給路４１における内側開口の少なくとも一部を覆うように構成されてもよい。図１および図３（Ｂ）に示す例では、熱伝導部材１６は、熱伝導部材開口部１６ａから供給路４１の内部に及ぶように供給路開口部４１ａ内に入り込む熱伝導部材内周部１６ｂを有している。これにより、熱伝導部材１６において、上面側ヒータ３１Ａからの熱を伝達させる面積を広くすることができるとともに、供給路４１内のインクに熱伝導部材１６の一部を直接接触させることができる。これにより、熱伝導部材１６を介してインクをより効率的に加温することができる。
【００５５】
なお、図１および図３（Ｂ）に示す構成では、熱伝導部材開口部１６ａにおける左右方向の一方にのみ、熱伝導部材内周部１６ｂが形成されているが、本開示はこれに限定されず、左右方向の双方に熱伝導部材内周部１６ｂが形成されてもよい。また、図示しないが、熱伝導部材内周部１６ｂは、熱伝導部材開口部１６ａの長手方向に沿って連続的に形成されてもよいし、部分的（長手方向に断続的）に形成されてもよい。
【００５６】
また、図３（Ａ）に示すように、熱伝導部材１６は、供給路部材１２Ａの上面とともに側面の少なくとも一部を覆うように構成されてもよい。図３（Ａ）に示す例では、熱伝導部材１６の長手方向の両端部には、供給路部材１２Ａの上面から側面の上側を覆うように熱伝導部材外被部１６ｃが形成されている。このように、熱伝導部材１６が供給路部材１２Ａの上面から側面に及ぶ形状を有していれば、上面側ヒータ３１Ａからの熱を伝達させる面積をより広くすることができる。これにより、供給路４１内のインクをより効率的に加温することができる。
【００５７】
なお、図３（Ａ）に示す例では、熱伝導部材１６の長手方向の両端部に熱伝導部材外被部１６ｃが形成されているが、本開示はこれに限定されず、長手方向の一方の端部のみに形成されてもよいし、左右方向の少なくとも一方の縁部または両縁部に熱伝導部材外被部１６ｃが形成されてもよい。また、熱伝導部材外被部１６ｃが左右方向の縁部に形成されている場合には、熱伝導部材外被部１６ｃは、長手方向に沿って連続的に形成されてもよいし、部分的（長手方向に断続的）に形成されてもよい。
【００５８】
上面側ヒータ３１Ａは、供給路部材１２Ａの上面全面を覆う形状であってもよいが、図２に示すように、上面における中央部を除いた部位に配置されることが好ましい。前記の通り、供給路部材１２Ａの上面における中央部には、供給路開口部４１ａが形成されており、熱伝導部材１６が介在する場合には、当該熱伝導部材１６における中央部には熱伝導部材開口部１６ａが形成されている。そのため、上面側ヒータ３１Ａが、供給路部材１２Ａの上面の周縁を囲むような形状（カタカナの「ロ」字形状）を有することにより、中央部の開口部（穴部）を除いた部位にヒータが配置されることになり、供給路部材１２Ａの上面をより積極的に加熱することができる。
【００５９】
なお、図２に示す例では、上面側ヒータ３１Ａは、供給路部材１２Ａの上面のうち中央部を除く部位を全体的に覆う単一のヒータであるが、本開示はこれに限定されない。例えば、図４に示すように、複数の部分ヒータにより構成される上面側ヒータ３１Ｂであってもよい。上面側ヒータ３１Ｂは、例えば、供給路部材１２Ａの長手方向の両端部にそれぞれ太幅ヒータ３７ａが位置し、これら一対の太幅ヒータ３７ａの間に、一対の細幅ヒータ３７ｂが、熱伝導部材開口部１６ａを挟み込むように並列して位置している。
【００６０】
太幅ヒータ３７ａは、その長手方向が液体噴射ヘッドの左右方向（第三方向）に沿って配置しており、細幅ヒータ３７ｂは、その長手方向が液体噴射ヘッドの長手方向（第一方向）に沿って配置している。これにより、単一のヒータである上面側ヒータ３１Ａと同様に、供給路部材１２Ａの上面の周縁を囲むような形状（カタカナの「ロ」字形状）で、当該供給路部材１２Ａの上面を加熱することができる。なお、複数の部分ヒータで構成される上面側ヒータ３１Ｂの具体例は図４に示すような構成に限定されず、例えば、３つ以下の部分ヒータで構成されてもよいし、５つ以上の部分ヒータで構成されてもよい。
【００６１】
［変形例］
本開示に係る液体噴射ヘッドは、供給路部材１２Ａおよび少なくとも一つのヒータを備え、このヒータは、供給路部材１２Ａの上側に位置するように配置されていればよい。本実施の形態１では、供給路部材１２Ａの上側に位置するヒータとして、単一のヒータである上面側ヒータ３１Ａまたは複数の部分ヒータで構成される上面側ヒータ３１Ｂを例示したが、これら上面側ヒータ３１Ａ，３１Ｂはいずれも液体噴射ヘッドの最も上側に位置する構成である。しかしながら、本開示に係る液体噴射ヘッドはこれに限定されず、上面側ヒータ３１Ａ、３１Ｂの上側に他の部材が設けられてもよい。
【００６２】
例えば、図５に示すように、上面側ヒータ３１Ａの上に第二熱伝導部材１７が重ねて設けられてもよい。第二熱伝導部材１７は、上面側ヒータ３１Ａの下側に位置する熱伝導部材１６と同じ材料（例えばステンレス等の金属）で構成されたものである。なお、図５に示す液体噴射ヘッドの構成は、第二熱伝導部材１７を除けば図１に示す液体噴射ヘッドの構成と同様であるので、具体的な説明は省略する。
【００６３】
このように、液体噴射ヘッドが上面側ヒータ３１Ａの上に重ねて設けられ、熱伝導部材１６と同じ材料の第二熱伝導部材１７を備えていれば、フィルムヒータ等で構成される上面側ヒータ３１Ａを、同一材料で構成される一対の熱伝導部材１６および第二熱伝導部材１７で挟み込むことになる。これにより、上面側ヒータ３１Ａによる加熱に際して、当該上面側ヒータ３１Ａと熱伝導部材１６，１７との熱膨張率の差による歪の発生を良好に抑制することができる。
【００６４】
ここで、上面側ヒータ３１Ａのさらに上面に第二熱伝導部材１７を配置して固定する方法は特に限定されないが、例えば、図６に示すように、上面側ヒータ３１Ａを、熱伝導部材１６の周縁領域を除いた領域に配置し、この周縁領域を含む上面側ヒータ３１Ａの上面全体に接着剤層４５を形成することにより、第二熱伝導部材１７を熱伝導部材１６に接着固定する方法を挙げることができる。
【００６５】
図６に示す構成によれば、供給路部材１２Ａの上面に位置する上面側ヒータ３１Ａの領域が、熱伝導部材１６の領域に対して図中間隔Ｄだけオフセットしたような形状となる。この領域を「オフセット領域」とすれば、このオフセット領域を形成することにより、上面側ヒータ３１Ａ周囲にも追加的な接着用の領域（接着代）を確保することができる。それゆえ、当該上面側ヒータ３１Ａの上面に加えて、このオフセット領域に接着剤層４５を形成することで、熱伝導部材１６と第二熱伝導部材１７とを接着固定することができる。これにより、熱伝導部材１６および第二熱伝導部材１７による上面側ヒータ３１Ａを挟み込んだ状態を良好に保持することができる。
【００６６】
なお、図６に示す例では、オフセット領域は、熱伝導部材開口部１６ａの外側（上面側ヒータ３１Ａから見て内側）に設けているが、本開示はこれに限定されない。オフセット領域は、例えば、熱伝導部材１６の外周縁に設けてもよいし、熱伝導部材開口部１６ａの周縁と熱伝導部材１６の外周縁の双方に設けてもよい。また、図４に示すように、複数の部分ヒータで構成される上面側ヒータ３１Ｂであれば、それぞれの部分ヒータの間をオフセット領域とすることができる。また、オフセット領域のオフセット量である間隔Ｄの具体的な数値は特に限定されず、液体噴射ヘッドの具体的な構成に応じて適宜設定することができるが、一般的には、Ｄ＝１ｍｍ以上であればよい。
【００６７】
また、上面側ヒータ３１Ａの上側に何らかの上部部材を固定する場合には、いわゆる空中接着を利用すればよい。前記の通り、上面側ヒータ３１Ａの周縁に接着用の領域を確保し、上面側ヒータ３１Ａの上側で当該上面側ヒータ３１Ａに接触しないように隙間（空間）を確保した状態で、治具により上部部材の位置決めを行い、この上部部材の位置を維持するように、接着用の領域に接着剤の層を形成する。これにより、上面側ヒータ３１Ａの上面と上部部材の下面との間に隙間を確保した状態で、上部部材を熱伝導部材１６に固定することができる。
【００６８】
また、図示しないが、本実施の形態に係る液体噴射ヘッドでは、供給路部材１２Ａの上面（または上側）に上面側ヒータ３１Ａが設けられていればよいが、必要に応じて供給路部材１２Ａの他の位置にもヒータが設けられてもよい。例えば、従来と同様に供給路部材１２Ａの側面にも側面ヒータが設けられてもよい。このように、供給路部材１２Ａの上側だけでなく側面にも側面ヒータが取り付けられていれば、液体噴射ヘッドの具体的な構成にもよるが、上側と側面との双方から供給路４１（マニホールド）を加熱することができるので、供給路４１内のインクを良好に加温できる場合がある。
【００６９】
（実施の形態２）
前記実施の形態１に係る液体噴射ヘッドは、供給路部材１２Ａの上面に熱伝導部材１６を介して上面側ヒータ３１Ａが間接的に取り付けられている構成であったが、本開示に係る液体噴射ヘッドはこれに限定されず、供給路部材の上面に直接ヒータが取り付けられる構成であってもよい。このような構成について、図７および図８を参照して具体的に説明する。
【００７０】
本実施の形態２に係る液体噴射ヘッドは、図７に示すように、基本的な構成は前記実施の形態１に係る液体噴射ヘッドと同様であるが、供給路部材１２Ｂが保護基板である支持基板１４Ｂの上側全面を覆う形状を有しており、上面側ヒータ３１Ｃが供給路部材１２Ｂの上側全体に配置されるように、供給路部材１２Ｂの上面に直接取り付けられている。支持基板１４Ｂは、前記実施の形態１で説明した支持基板１４Ａと同様に、下面側に開口する凹部である素子空間部２４が形成されており、支持基板１４Ａの下面に弾性膜２３が位置することにより素子空間部２４が閉止され、この素子空間部２４内に圧電素子２６が配置される。
【００７１】
ここで、前記実施の形態１における支持基板１４Ａでは、横断面の中央部に貫通部２２ｂが形成されていたが、本実施の形態２における支持基板１４Ｂでは、貫通部２２ｂは形成されておらず、支持基板１４Ｂの上面は平坦な単一面である。前記実施の形態１では、供給路部材１２Ａにも貫通部２２ａが形成されており、この貫通部２２ａおよび貫通部２２ｂから貫通空間部２２が構成され、この貫通空間部２２によりアクチュエータ基板１３の上面の一部が露出しており、この露出部位に引出配線３４が接続され、この引出配線３４に駆動ＩＣ３５が設けられていた。
【００７２】
これに対して、本実施の形態２では、アクチュエータ基板１３の一部が露出していないので、引出配線３４の代わりに支持基板１４Ｂを貫通する図示しない貫通電極が形成されている。貫通電極の一端は、アクチュエータ基板１３における圧電素子２６からの電極配線に接続されており、他端は駆動ＩＣ３５に接続される。駆動ＩＣ３５は、図７に示すように、支持基板１４Ｂの上面（素子空間部２４の直上）に配置され、圧電素子２６を駆動する。
【００７３】
このように、本実施の形態２では、貫通空間部２２を形成しなくても駆動ＩＣ３５を支持基板１４Ｂの上面に配置することができるので、供給路部材１２Ｂは、支持基板１４Ｂの上側全面を覆う形状を有することができ、上面側ヒータ３１Ｃを供給路部材１２Ｂの上面全体に配置することができる。このような構成であれば、供給路部材１２Ｂにより支持基板１４Ｂの上側全面が覆われるため、供給路部材１２Ｂの上面に上面側ヒータ３１Ｃを配置するために必要な領域を十分確保することができる。
【００７４】
また、供給路部材１２Ｂの上面全体を上面側ヒータ３１Ｃで加熱することになるため、複数の供給路４１を加熱する際に温度差が生じるおそれを有効に抑制できるとともに、温度差に伴う液体の濃度ムラ、液体の吐出不良等も有効に抑制することができる。ここで、図７に示すように、支持基板１４Ｂの上面の駆動ＩＣ３５と、供給路部材１２Ｂにおける支持基板１４Ｂを覆う部位との間には空間が設けられている。このように、駆動ＩＣ３５と供給路部材１２Ｂとの間に空間が形成されていれば、供給路部材１２Ｂの上面に位置する上面側ヒータ３１Ｃからの熱をこの空間により断熱することができる。
【００７５】
供給路部材１２Ｂは、前記実施の形態１と同様に樹脂製または無機材料製であればよいが、本実施の形態２のように、上面側ヒータ３１Ｃを供給路部材１２Ｂの上面に直接取り付ける場合には、当該供給路部材１２Ｂは金属等の無機材料製であることが好ましい。このように、供給路部材１２Ｂそのものを熱伝導性の高い金属等の無機材料で構成すれば、上面側ヒータ３１Ｃからの熱をより一層効率的に供給路部材１２Ｂに伝達することができるので、供給路４１内の液体をより効率的に加温することができる。
【００７６】
なお、供給路部材１２Ｂは全てが金属等の無機材料製である必要はなく、供給路部材１２Ｂの上面を構成する部分（上部）のみが無機材料製であり、他の部位は樹脂あるいは金属以外の無機材料製であってもよい。少なくとも供給路部材１２Ｂの上部が熱伝導性に優れる無機材料製であれば、供給路部材１２Ｂの上面に直接取り付けられた上面側ヒータ３１Ｃにより、供給路部材１２Ｂを上面から直接的に加熱したときに、供給路４１をより良好に加熱することができる。
【００７７】
供給路部材１２Ｂの上面を構成する材料は、必ずしも金属等の無機材料ではなく、良好な熱伝導性を有するものであれば特に限定されないが、具体的には、例えば、当該材料の熱伝導率は、流路部材１１に設けられるダンパー部材２１を構成する材料の熱伝導率よりも高いものであればよい。ダンパー部材２１は前記の通り樹脂製フィルムが代表的であるが、供給路部材１２Ｂの上面を構成する材料がダンパー部材２１よりも熱伝導率が高い材料であれば、当該供給路部材１２Ｂの相対的な伝熱効率を向上させることができる。これにより、供給路部材１２Ｂの上面に設けられる上面側ヒータ３１Ｃからの熱をより効率的に供給路４１に伝達させることができる。
【００７８】
本実施の形態２では、前記の通り、支持基板１４Ｂ上に駆動ＩＣ３５が設けられ、貫通空間部２２を有していないので、図８に示すように、フレキシブルプリント基板（ＦＰＣ）３６が駆動ＩＣ３５に接続されている。上面側ヒータ３１Ｃは、当該上面側ヒータ３１Ｃのヒータ入力部３３が、支持基板１４Ｂに対するＦＰＣ３６の接続部位と同方向となるように、供給路部材１２Ｂの上面に配置されていることが好ましい。つまり、本実施の形態２に係る液体噴射ヘッドでは、上面側ヒータ３１Ｃのヒータ入力部３３とＦＰＣ３６の接続部位とが同じ方向に向いていることが好ましい。
【００７９】
このように、ＦＰＣ３６の接続位置と上面側ヒータ３１Ｃのヒータ入力部３３とが同方向であれば、図８に示すように、液体噴射ヘッドの上部にヒータ入力部３３が位置し、下部にＦＰＣ３６の接続部位が位置するので、ヒータ入力部３３とＦＰＣ３６の接続部位とが互いに重なった位置関係になる。そのため、他の構造体との間で電装部品の干渉を回避することができる。これにより、液体噴射ヘッドのコンパクト化を図ることができる。
【００８０】
このように、本開示に係る液体噴射ヘッドは、第一方向に沿って配列された複数のノズル吐出口に液体を導く液体吐出流路に対して、液体を供給する供給路が形成された供給路部材と、液体を加温するヒータと、を備え、ノズル吐出口が配置する側を下側としたときに、ヒータは、供給路部材の上側に位置するように配置されている構成である。ヒータは、供給路部材の上面に直接取り付けられてもよいし、熱伝導部材を介して間接的に供給路部材に取り付けられてもよい。このような構成であれば、供給路部材の上側に位置するようにヒータが設けられるため、ヒータを側面に取り付ける構成よりも製造が容易になり、製造工程の煩雑化を回避することができる。また、供給路部材の上面から供給路を加熱することができるので、ヒータを側面に取り付ける構成よりも効率的な液体の加温が可能となる。
【００８１】
なお、本発明は前記実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【産業上の利用可能性】
【００８２】
本発明は、インク等の液体を吐出する液体吐出装置が備える液体噴射ヘッドの分野に広く好適に用いることができる。
【符号の説明】
【００８３】
１１：流路部材
１２Ａ，１２Ｂ：供給路部材
１３：アクチュエータ基板
１４Ａ，１４Ｂ：支持基板（保護基板）
１５：ノズル基板
１６：熱伝導部材
１６ａ：熱伝導部材開口部
１６ｂ：熱伝導部材内周部
１７：第二熱伝導部材
２１：ダンパー部材
２２：貫通空間部
２２ａ：供給路部材の貫通部
２２ｂ：支持基板の貫通部
２３：弾性膜
２４：素子空間部
２５：ノズル吐出口
２６：圧電素子
３１Ａ〜３１Ｃ：上面側ヒータ
３３：ヒータ入力部
３４：引出配線
３５：駆動ＩＣ（駆動回路）
３６：フレキシブルプリント基板（ＦＰＣ）
３７ａ：太幅ヒータ
３７ｂ：細幅ヒータ
４１：供給路（マニホールド）
４２：液体吐出流路
４３：圧力室
４４：ノズル連通路
４５：接着剤層
【図１】
2020199678.tif 000003
【図２】
2020199678.tif 000004
【図３】
2020199678.tif 000005
【図４】
2020199678.tif 000006
【図５】
2020199678.tif 000007
【図６】
2020199678.tif 000008
【図７】
2020199678.tif 000009
【図８】
2020199678.tif 000010